(57)【要約】【課題】装着時と分離時とで、必要とされる力の大きさを変えることができる構成、すなわち嵌め易いが外れにくい構成の係止具を提供することを課題とする。【解決手段】係止部１０の接触面１１には突起部１２が形成されている。バネ材３０は、突起部１２の側壁部から突出して突起部１２の長手方向に延在するよう配設されている。バネ材３０の突出部分の頂点の両側に形成される傾斜部の傾斜は、突起部１２の先端側の方が緩くなっている。係止具２０の接触面２１には突起部１２の挿入口２２が形成されており、挿入口２２の周壁部には、バネ材３０と嵌合する溝部２５が形成されている。【選択図】　　　図２
2004041295.tif 000002
【特許請求の範囲】
【請求項１】
第１の接触面を有し当該第１の接触面に突起部が形成された第１の係止手段と、該第１の係止手段の前記第１の接触面に当接する第２の接触面を有し当該第２の接触面に前記突起部の挿入可能な挿入口が設けられた第２の係止手段とから構成される係止具において、
前記第１の係止手段の前記突起部の側壁部には、屈折部を有する弾性的に変形可能なバネ材が、前記屈折部が頂点となり前記突起部の長手方向に延在するよう突設され、
前記第１の係止手段の前記突起部を前記第２の係止手段の前記挿入口に挿入して、前記第１の接触面と前記第２の接触面とを当接させた装着状態において、前記バネ材の前記屈折部が嵌合可能な溝部が前記挿入口の周壁部に設けられていることを特徴とする係止具。
【請求項２】
前記バネ材の頂点となる前記屈折部の両側に形成される、前記突起部の側壁部に対して傾斜している２つの傾斜部の傾斜は、前記突起部の先端側の傾斜の方が他方の傾斜よりも緩やかな傾斜となっていることを特徴とする請求項１に記載の係止具。
【請求項３】
前記挿入口は透孔であることを特徴とする請求項１または請求項２に記載の係止具。
【請求項４】
前記第１の係止手段の前記突起部を前記第２の係止手段の前記透孔に挿入して、前記第１の接触面と前記第２の接触面とを当接させた装着状態において、前記突起部は前記透孔を貫通し、その先端部が前記第２の係止手段の外側に露出することを特徴とする請求項３に記載の係止具。
【発明の詳細な説明】
【０００１】
【発明の属する技術分野】
本発明は、衣服やバッグなどに使用される係止具に関するものである。
【０００２】
【従来の技術】
図５（ａ）に示すジャンパーＪの前閉じ部分の係止具や、バッグの開閉止め具としては、図５（ｂ）に示す凸部材１と凹部材２とから構成される所謂ホックＨが従来から広く使用されている。
【０００３】
図６（ａ），（ｂ）は従来のホックの構成を示す構成図であり、（ａ）は離隔状態を示したものであり、（ｂ）は装着状態を示したものである。
【０００４】
図６（ａ），（ｂ）に示すように凸部材１には括れ部１ｂを有する突起部１ａが形成されており、凹部材２には突起部１ａの挿入が可能な挿入口２ａが形成されている。また、凹部材２には、突起部１ａの括れ部１ｂと係合するバネ部材２ｂが挿入口２ａの内側に突出するように配設されている。
【０００５】
以上のように構成された従来のホックにおいては、図６（ａ）に示した状態から、突起部１ａを、バネ部材２ｂの弾性力に抗して挿入口２ａに押し込むと、バネ部材２ｂが変形し、突起部１ａが挿入口２ａ内に進入して図６（ｂ）に示した装着状態になる。
【０００６】
また、図６（ｂ）に示した装着状態においては、バネ部材２ｂが突起部１ａの括れ部１ｂと係合しているので、凸部材１を凹部材２から分離するためには、バネ部材２ｂの弾性力に抗して突起部１ａを挿入口２ａから引き抜く必要がある。
【０００７】
【発明が解決しようとする課題】
以上説明した従来係止具においては、その構造上、装着時と分離時とに必要とされる力の大きさは略同じであった。即ち、突起部１ａの括れ部１ｂと係合するバネ部材２ｂの弾性力を強くすれば、外れにくいが嵌めにくい係止具となり、逆に、バネ部材２ｂの弾性力を弱くすれば、嵌め易いが外れ易い係止具となる。
【０００８】
本発明の目的は、装着時と分離時とで、必要とされる力の大きさを変えることができる構成、すなわち嵌め易いが外れにくい構成の係止具を提供することにある。
【０００９】
【課題を解決するための手段】
以上の目的を達成するために本発明は、第１の接触面を有し当該第１の接触面に突起部が形成された第１の係止手段と、該第１の係止手段の前記第１の接触面に当接する第２の接触面を有し当該第２の接触面に前記突起部の挿入可能な挿入口が設けられた第２の係止手段とから構成される係止具において、前記第１の係止手段の前記突起部の側壁部には、屈折部を有する弾性的に変形可能なバネ材が、前記屈折部が頂点となり前記突起部の長手方向に延在するよう突設され、前記第１の係止手段の前記突起部を前記第２の係止手段の前記挿入口に挿入して、前記第１の接触面と前記第２の接触面とを当接させた装着状態において、前記バネ材の前記屈折部が嵌合可能な溝部が前記挿入口の周壁部に設けられていることを特徴とするものである。
【００１０】
【発明の実施の形態】
以下、図面を用いて本発明の実施形態について説明する。
【００１１】
図１は本発明の一実施形態の構成を示す斜視図であり、図２（ａ）はその断面図である。また図２（ｂ）は装着状態における断面図を示したものである。
【００１２】
図１および図２（ａ），（ｂ）に示したように、本実施形態は、第１の係止具１０と第２の係止具２０とによって構成されている。装着状態において係止具２０に当接する係止具１０の接触面１１には突起部１２が形成されており、係止具２０の接触面２１には突起部１２の挿入が可能な挿入口２２が形成されている。ここで、本実施形態においては、係止具２０は、接触面２１を有する部材２３とこれと螺合する部材２４との２体の部材によって構成されている。
【００１３】
係止具１０には、弾性的に変形可能なバネ材３０が、突起部１２の側壁部から突出するように配設されている。また、係止具２０の挿入口２２の周壁部には、装着状態においてバネ部材３０と嵌合する溝部２５が形成されている。
【００１４】
図３はバネ材３０の構成を示す拡大図である。このバネ材３０は、溝部２５と嵌合する屈折部３１を有する弾性的に変形可能なバネ材であり、屈折部３１が頂点となり、突起部１２の長手方向に延在するように配設されている。また、屈折部３１の両側には、突起部１２の側壁部に対して傾斜している傾斜部３２，３３が形成されている。ここで、突起部１２の先端側にある傾斜部３２の傾斜が、傾斜部３３の傾斜よりも緩やかになるように傾斜部３２，３３はそれぞれ形成されている。
【００１５】
次に以上のように構成された本実施形態の動作について図４を用いて説明する。
【００１６】
先ず、図４（ａ）に示したように、係止具１０のバネ材３０を係止具２０に当接させた状態において、突起部１２を挿入口２２に押し込むと、図４（ｂ）に示したようにバネ材３０が変形して突出部１２が挿入口２２内に進入する。そして、さらに押し込むと、図４（ｃ）に示したように、バネ材３０の屈折部３１が溝部２５に嵌合して装着状態になる。
【００１７】
図４（ｃ）に示した装着状態にある係止具１０，２０を分離する場合には、装着時と逆の方向の力を加えてバネ材３０を変形させて係止具１０を係止具２０から引き抜けばよい。
【００１８】
ここで、先に説明したように本実施形態においては、傾斜部３２の傾斜が傾斜部３３の傾斜よりも緩やかになっているために、分離時に必要とされる力の大きさは、装着時に必要とされる力の大きさよりも大きくなる。即ち、本実施形態は、嵌めやすく外れにくい。
【００１９】
また、本実施形態の挿入口２２は透孔としてあり、係止具２０の外側から突起部１２を視認することができるので、容易に装着状態を確認することができる。
【００２０】
さらに、図２（ｂ）に示したように、装着状態において突起部１２が挿入口（透孔）２２を貫通し、その先端部が係止具２０の外側に露出するように突起部１２の長さを選んでおけば、この露出した突起部１２の先端部を押すという操作し易い動作により、係止具１０と係止具２０とを分離することができる。
【００２１】
なお、本実施形態は、嵌めやすく外れにくい係止具とするために、傾斜部３２の傾斜を傾斜部３３の傾斜よりも緩やかにしてあるが、もし、嵌めにくく外れやすいという特性が必要であれば、傾斜部３３の傾斜を傾斜部３２の傾斜よりも緩やかにすればよい。
【００２２】
【発明の効果】
以上説明したように本発明によれば、装着時と分離時とで、必要とされる力の大きさを変えることができる構成、すなわち嵌め易いが外れにくい構成の係止具を提供することができる。
【図面の簡単な説明】
【図１】本発明の一実施形態の構成を示す斜視図である。
【図２】本発明の一実施形態の構成を示す断面図である。
【図３】図１に示した実施形態の説明図である。
【図４】図１に示した実施形態の動作説明図である。
【図５】従来の係止具の説明図である。
【図６】従来の係止具の構成図である。
【符号の説明】
１０，２０　係止具
１１，１２　接触面
１２　突起部
２２　挿入口
２３　溝部
３０　バネ材
３１　屈折部
３２，３３　傾斜部
【図１】
2004041295.tif 000003
【図２】
2004041295.tif 000004
【図３】
2004041295.tif 000005
【図４】
2004041295.tif 000006
【図５】
2004041295.tif 000007
【図６】
2004041295.tif 000008